(57)【特許請求の範囲】
【請求項１】
骨欠損部位を充填する移植材を覆い、骨再生を誘導する歯槽骨再生用メンブレンであって、
歯槽骨内に挿入されるインプラント用挿入物が貫通する中央ホールが形成され、前記インプラント用挿入物と結合される結合部と、
前記結合部から下方に曲折されて曲がり、全体的に曲面形状をなす側面曲折部と、
前記側面曲折部の両側エッジから突設され、歯槽骨欠損部位に向かって曲折されて曲がっている側面カバー部と、を含んでなり、
前記側面曲折部及び側面カバー部は、再生されなければならない歯槽骨の最終形状に合うように、三次元的にプレフォーミングされており、
前記側面曲折部には、多数の第１孔が形成され、前記側面カバー部には、多数の第２孔が形成され、
前記第１孔の直径は、前記第２孔の直径より大きい
ことを特徴とする、歯槽骨再生用メンブレン。
【請求項２】
前記側面カバー部は、前記側面曲折部より曲折が容易であることを特徴とする、請求項１に記載の歯槽骨再生用メンブレン。
【請求項３】
前記側面曲折部は、前記結合部から遠くなる方向に曲折される第１曲折部と、前記結合部に近付く方向に曲折される第２曲折部と、からなることを特徴とする、請求項１に記載の歯槽骨再生用メンブレン。
【請求項４】
前記第１曲折部にのみ前記第１孔が形成されることを特徴とする、請求項３に記載の歯槽骨再生用メンブレン。
【請求項５】
前記第１曲折部の最下端の第１孔は、凹型の皿状に整列されていることを特徴とする、請求項３に記載の歯槽骨再生用メンブレン。
【請求項６】
前記側面曲折部の第１孔の単位面積当たり総面積は、前記側面カバー部の第２孔の単位面積当たり総面積より小さいことを特徴とする、請求項１に記載の歯槽骨再生用メンブレン。
【請求項７】
前記第１孔の直径は、０．９〜２．０ｍｍであり、前記第２孔の直径は、０．１〜０．５ｍｍであることを特徴とする、請求項１に記載の歯槽骨再生用メンブレン。
【請求項８】
前記側面曲折部の下端には、その側面曲折部から突設されて内側に曲折されている下端曲折部が設けられることを特徴とする、請求項１に記載の歯槽骨再生用メンブレン。
【請求項９】
前記下端曲折部には、多数の第３孔が形成されていることを特徴とする、請求項８に記載の歯槽骨再生用メンブレン。
【請求項１０】
前記側面曲折部には、第１孔が形成され、前記第３孔の直径は、前記第１孔の直径より小さいことを特徴とする、請求項９に記載の歯槽骨再生用メンブレン。
【請求項１１】
前記下端曲折部は、少なくとも２個以上が等間隔で離隔されて配置されることを特徴とする、請求項８に記載の歯槽骨再生用メンブレン。
【請求項１２】
前記下端曲折部は、側面曲折部の中央に対して対称的に配置されることを特徴とする、請求項１１に記載の歯槽骨再生用メンブレン。
【請求項１３】
前記下端曲折部は、再生されなければならない歯槽骨の最終形状に合うように、三次元的にプレフォーミングされていることを特徴とする、請求項９に記載の歯槽骨再生用メンブレン。
【請求項１４】
前記結合部には、多数の第４孔が形成されていることを特徴とする、請求項１に記載の歯槽骨再生用メンブレン。
【請求項１５】
前記結合部の側面エッジから突出するが、移植材を覆い包むように曲折されている結合側面部が設けられていることを特徴とする、請求項１４に記載の歯槽骨再生用メンブレン。
【請求項１６】
前記結合側面部には、多数の第５孔が形成されていることを特徴とする、請求項１５に記載の歯槽骨再生用メンブレン。
【請求項１７】
前記結合部の上端から突出するが、移植材を覆い包むように曲折されている結合上側部が設けられていることを特徴とする、請求項１に記載の歯槽骨再生用メンブレン。
【請求項１８】
前記結合上側部には、多数の第６孔が形成されていることを特徴とする、請求項１７に記載の歯槽骨再生用メンブレン。
【請求項１９】
前記結合上側部は、少なくとも２個以上が等間隔で離隔されて配置されることを特徴とする、請求項１７に記載の歯槽骨再生用メンブレン。
【請求項２０】
前記結合上側部は、結合部の中央に対して対称的に配置されることを特徴とする、請求項１９に記載の歯槽骨再生用メンブレン。
【請求項２１】
前記結合上側部は、再生されなければならない歯槽骨の最終形状に合うように、三次元的にプレフォーミングされていることを特徴とする、請求項１７に記載の歯槽骨再生用メンブレン。
【請求項２２】
多様な色を実現するために、表面にｔｉｎコーティング層が形成されている、表面が陽極酸化処理されている、又は表面が熱処理されている、ことを特徴とする、請求項１に記載の歯槽骨再生用メンブレン。
【請求項２３】
歯槽骨欠損部位の開口壁を覆い包み、歯槽骨欠損部位の歯槽骨再生を誘導するための歯槽骨再生用メンブレンであって、
歯槽骨欠損部位を覆い包むことができる本体部と、
前記本体部から延長されて突出し、内部に窪んだ凹型溝が形成される突出部と、
を含み、
前記突出部の最大突出高さをｈ１とし、前記凹型溝の最大深さをｈ２とするとき、前記最大突出高さｈ１は、前記最大深さｈ２より大きく、
前記突出部を前記本体部に対してベンディングする過程で、突出部の一部分が他の部分に比べて突出して浮き上がる現象を防止することを特徴とする、
歯槽骨再生用メンブレン。
【請求項２４】
前記凹型溝は、前記突出部の突出方向と反対方向に窪んだことを特徴とする、請求項２３に記載の歯槽骨再生用メンブレン。
【請求項２５】
前記突出部には、互いに離隔されたベンディング・ラインが形成され、
前記ベンディング・ラインのうちいずれか１本は、前記本体部と前記突出部との境界上に形成され、
前記ベンディング・ラインのうち他の１本は、前記凹型溝の端部を通過するように形成されることを特徴とする、請求項２３に記載の歯槽骨再生用メンブレン。
【請求項２６】
前記本体部は、
インプラント用挿入物に締結されている結合部と、
前記結合部から曲折されて歯槽骨の側面を覆い包むことができる側面曲折部と、
を含むことを特徴とする、請求項２３に記載の歯槽骨再生用メンブレン。
【請求項２７】
前記結合部には、歯槽骨内に挿入されるインプラント用挿入物が貫通する中央ホールが形成されることを特徴とする、請求項２６に記載の歯槽骨再生用メンブレン。
【請求項２８】
前記側面曲折部には、前記中央ホールより小径を有する多数の第１孔が形成されることを特徴とする、請求項２７に記載の歯槽骨再生用メンブレン。
【請求項２９】
前記側面曲折部は、前記結合部から遠くなる方向に曲折されている第１曲折部と、前記結合部に近付く方向に曲折されている第２曲折部と、からなることを特徴とする、請求項２８に記載の歯槽骨再生用メンブレン。
【請求項３０】
前記第１曲折部の最下端の第１孔は、「Ｃ」字形の凹状ラインｌｒに沿って整列されることを特徴とする、請求項２９に記載の歯槽骨再生用メンブレン。
【請求項３１】
前記突出部は、前記結合部の上端から突出する結合上側部を含むことを特徴とする、請求項２６に記載の歯槽骨再生用メンブレン。
【請求項３２】
前記突出部は、前記結合部の側面エッジから突出する結合側面部を含むことを特徴とする、請求項２６に記載の歯槽骨再生用メンブレン。
【請求項３３】
前記突出部は、
前記側面曲折部の側面エッジから突設される側面カバー部を含むことを特徴とする、請求項２９に記載の歯槽骨再生用メンブレン。
【請求項３４】
前記側面カバー部には、前記第１孔より小径を有する多数の第２孔が形成されていることを特徴とする、請求項３３に記載の歯槽骨再生用メンブレン。
【請求項３５】
前記第１孔の直径は、０．９〜２．０ｍｍであり、前記第２孔の直径は、０．１〜０．５ｍｍであることを特徴とする、請求項３４に記載の歯槽骨再生用メンブレン。
【請求項３６】
前記突出部は、前記側面曲折部から下側に突出する下端曲折部を含むことを特徴とする、請求項２８に記載の歯槽骨再生用メンブレン。
【請求項３７】
前記下端曲折部には、前記第１孔より小径を有する多数の第３孔が形成されていることを特徴とする、請求項３６に記載の歯槽骨再生用メンブレン。
【請求項３８】
前記第１孔の直径は、０．９〜２．０ｍｍであり、前記第３孔の直径は、０．６〜０．８ｍｍであることを特徴とする、請求項３７に記載の歯槽骨再生用メンブレン。
【請求項３９】
多様な色を実現するために、表面にｔｉｎコーティング層が形成されている、表面が陽極酸化処理されている、又は表面が熱処理されている、ことを特徴とする、請求項２３に記載の歯槽骨再生用メンブレン。
【請求項４０】
再生されなければならない歯槽骨の最終形状に合うように、歯槽骨方向に三次元の立体的な曲面形状にプレフォーミングされていることを特徴とする、請求項２３に記載の歯槽骨再生用メンブレン。
【発明の詳細な説明】
【技術分野】
【０００１】
本発明は、骨欠損部位に配置され、骨再生を誘導するように移植材を覆う歯槽骨再生用メンブレンに係り、詳細には、別途のトリミング及びベンディングの必要なしに、局所的に過度に突出する部位がなく、施術時間を短縮させて製作が便利であり、 施術成功率を高めることができる歯槽骨再生用メンブレンに関する。
【背景技術】
【０００２】
従来のＧＢＲ（ｇｕｉｄｅｄ  ｂｏｎｅ  ｒｅｇｅｎｅｒａｔｉｏｎ）、すなわち、骨誘導再生術のために、非吸収性製品のうち、四角チタン板材に穴を穿孔した製品が一般的に使用された。
【０００３】
施術者は、骨欠損（ｂｏｎｅ  ｄｅｆｅｃｔ）が発生した位置の形状を認知し、四角メンブレンを利用し、所望形状に適するように、トリミング（ｔｒｉｍｍｉｎｇ）した後、さらに三次元にベンディング（ｂｅｎｄｉｎｇ）して欠損部位を覆い（ａｄａｐｔａｔｉｏｎ）、最終的に、メンブレンを固定させるために、別途のスクリューを使用して固定した。
【０００４】
しかし、従来の技術は、骨欠損の形状を認知した後、必要な形状にトリミングを行わなければならず、それをさらにベンディングすることにより、より完璧に骨欠損部位を覆い難かっただけではなく、施術時間も長くなり、ベンディング過程で過度に浮き上がる現象、すなわち、ベンディング部位が局所的に過度に突出する現象により、骨再生誘導期間の間、突出部が歯齦（ｇｉｎｇｉｖａ）を貫いて出てきて、外部から感染して骨再生に失敗する主要原因になったりもした。また、メンブレンを固定させるために締結したスクリュー（ｓｃｒｅｗ）を除去するためには、さらに広い歯齦切開を行わなければならないので、施術時間も長くなるだけではなく、出血による浮腫が発生し、患者には苦痛を与え、施術者にも患者にも施術に対する負担があった。
【発明の概要】
【発明が解決しようとする課題】
【０００５】
本発明は、前述の問題で、骨欠損形状を予測し、三次元にトリミングされており、同時にベンディングされ、局所的な突出現象のないカスタマイズされた歯槽骨再生用メンブレンに係り、具体的には、施術時間が短縮され、製作が便利であり、施術成功率を高めると共に、患者には浮腫と苦痛を和らげることができる歯槽骨再生用メンブレンを提供することを目的とする。
【課題を解決するための手段】
【０００６】
前述の目的を達成するための本発明の歯槽骨再生用メンブレンは、骨欠損部位を充填する移植材を覆い、骨再生を誘導する歯槽骨再生用メンブレンにおいて、歯槽骨内に挿入されるインプラント用挿入物が貫通する中央ホールが形成され、前記インプラント用挿入物と結合される結合部と、前記結合部から下方に曲折されて曲がり、全体的に曲面形状をなす側面曲折部と、前記側面曲折部の両側エッジから突設され、歯槽骨欠損部位に向かって曲折されて曲がっている側面カバー部と、を含んでなり、前記側面曲折部及び側面カバー部は、再生されなければならない歯槽骨の最終形状に合うように、三次元的にプレフォーミングされている。
【０００７】
前記歯槽骨再生用メンブレンで、前記側面カバー部は、前記側面曲折部より曲折が容易でもある。
【０００８】
前記歯槽骨再生用メンブレンで、前記側面曲折部には、多数の第１孔が形成され、前記側面カバー部には、多数の第２孔が形成されている。
【０００９】
前記歯槽骨再生用メンブレンで、前記側面曲折部は、前記結合部から遠くなる方向に曲折される第１曲折部と、前記結合部に近付く方向に曲折される第２曲折部と、からなる。
【００１０】
前記歯槽骨再生用メンブレンで、前記第１曲折部にのみ前記第１孔が形成されている。
【００１１】
前記歯槽骨再生用メンブレンで、前記第１曲折部の最下端の第１孔は、凹型の皿状に整列されてもいる。
【００１２】
前記歯槽骨再生用メンブレンで、前記第１孔の直径は、前記第２孔の直径より大きくもある。
【００１３】
前記歯槽骨再生用メンブレンで、前記側面曲折部の第１孔の単位面積当たり総面積は、前記側面カバー部の第２孔の単位面積当たり総面積より小さくもある。
【００１４】
前記歯槽骨再生用メンブレンで、前記第１孔の直径は、０．９〜２．０ｍｍであり、前記第２孔の直径は、０．１〜０．５ｍｍでもある。
【００１５】
前記歯槽骨再生用メンブレンで、前記側面曲折部の下端には、その側面曲折部から突設されて内側に曲折されている下端曲折部が設けられている。
【００１６】
前記歯槽骨再生用メンブレンで、前記下端曲折部には、多数の第３孔が形成されている。
【００１７】
前記歯槽骨再生用メンブレンで、前記側面曲折部には、第１孔が形成され、前記第３孔の直径は、前記第１孔の直径より小さくもある。
【００１８】
前記歯槽骨再生用メンブレンで、前記下端曲折部は、少なくとも２個以上が等間隔で離隔されて配置されている。
【００１９】
前記歯槽骨再生用メンブレンで、前記下端曲折部は、側面曲折部の中央に対して対称的に配置されている。
【００２０】
前記歯槽骨再生用メンブレンで、前記下端曲折部は、再生されなければならない歯槽骨の最終形状に合うように、三次元的にプレフォーミングされている。
【００２１】
前記歯槽骨再生用メンブレンで、前記結合部には、多数の第４孔が形成されている。
【００２２】
前記歯槽骨再生用メンブレンで、前記結合部の側面エッジから突出するが、移植材を覆い包むように曲折されている結合側面部が設けられている。
【００２３】
前記歯槽骨再生用メンブレンで、前記結合側面部には、多数の第５孔が形成されている。
【００２４】
前記歯槽骨再生用メンブレンで、前記結合部の上端から突出するが、移植材を覆い包むように曲折されている結合上側部が設けられている。
【００２５】
前記歯槽骨再生用メンブレンで、前記結合上側部には、多数の第６孔が形成されている。
【００２６】
前記歯槽骨再生用メンブレンで、前記結合上側部は、少なくとも２個以上が等間隔で離隔されて配置されている。
【００２７】
前記歯槽骨再生用メンブレンで、前記結合上側部は、結合部の中央に対して対称的に配置されている。
【００２８】
前記歯槽骨再生用メンブレンで、前記結合上側部は、再生されなければならない歯槽骨の最終形状に合うように、三次元的にプレフォーミングされている。
【００２９】
前記歯槽骨再生用メンブレンで、多様な色を実現するために、表面にｔｉｎコーティング層が形成されたり、表面が陽極酸化処理されたり、あるいは表面が熱処理されてもいる。
【００３０】
前述の目的を達成するための本発明の歯槽骨再生用メンブレンは、歯槽骨欠損部位の開口壁を覆い包み、歯槽骨欠損部の歯槽骨再生を誘導するための歯槽骨再生用メンブレンにおいて、歯槽骨欠損部位を覆い包むことができる本体部と、前記本体部から延長されて突出し、内部に窪んだ凹型溝が形成される突出部とを含み、前記突出部の最大突出高さをｈ１とし、前記凹型溝の最大深さをｈ２とするとき、前記最大突出高さｈ１は、前記最大 深さｈ２より大きく、前記突出部を前記本体部に対してベンディングする過程で、突出部の一部分が他の部分に比べて突出して浮き上がる現象を防止することができる。
【００３１】
前記歯槽骨再生用メンブレンで、前記凹型溝は、前記突出部の突出方向と反対方向に窪んでいる。
【００３２】
前記歯槽骨再生用メンブレンで、前記突出部には、互いに離隔されたベンディング・ラインが形成され、前記ベンディング・ラインのうちいずれか１本は、前記本体部と前記突出部との境界上に形成され、前記ベンディング・ラインのうち他の１本は、前記凹型溝の端部を通過するように形成されている。
【００３３】
前記歯槽骨再生用メンブレンで、前記本体部は、インプラント用挿入物に締結されている結合部と、前記結合部から曲折されて歯槽骨の側面を覆い包むことができる側面曲折部と、を含んでもよい。
【００３４】
前記歯槽骨再生用メンブレンで、前記結合部には、歯槽骨内に挿入されるインプラント用挿入物が貫通する中央ホールが形成されている。
【００３５】
前記歯槽骨再生用メンブレンで、前記側面曲折部には、前記中央ホールより小径を有する多数の第１孔が形成されている。
【００３６】
前記歯槽骨再生用メンブレンで、前記側面曲折部は、前記結合部から遠くなる方向に曲折されている第１曲折部と、前記結合部に近付く方向に曲折されている第２曲折部と、からなる。
【００３７】
前記歯槽骨再生用メンブレンで、前記第１曲折部の最下端の第１孔は、「Ｃ」字形の凹状ラインｌｒに沿って整列されている。
【００３８】
前記歯槽骨再生用メンブレンで、前記突出部は、前記結合部の上端から突出する結合上側部を含んでもよい。
【００３９】
前記歯槽骨再生用メンブレンで、前記突出部は、前記結合部の側面エッジから突出する結合側面部を含んでもよい。
【００４０】
前記歯槽骨再生用メンブレンで、前記突出部は、前記側面曲折部の側面エッジから突設される側面カバー部を含んでもよい。
【００４１】
前記歯槽骨再生用メンブレンで、前記側面カバー部には、前記第１孔より小径を有する多数の第２孔が形成されている。
【００４２】
前記歯槽骨再生用メンブレンで、前記第１孔の直径は、０．９〜２．０ｍｍであり、前記第２孔の直径は、０．１〜０．５ｍｍでもある。
【００４３】
前記歯槽骨再生用メンブレンで、前記突出部は、前記側面曲折部から下側に突出する下端曲折部を含んでもよい。
【００４４】
前記歯槽骨再生用メンブレンで、前記下端曲折部には、前記第１孔より小径を有する多数の第３孔が形成されている。
【００４５】
前記歯槽骨再生用メンブレンで、前記第１孔の直径は、０．９〜２．０ｍｍであり、前記第３孔の直径は、０．６〜０．８ｍｍでもある。
【００４６】
前記歯槽骨再生用メンブレンで、多様な色を実現するように、表面にｔｉｎコーティング層が形成されたり、表面が陽極酸化処理されたり、あるいは表面が熱処理されている。
【００４７】
前記歯槽骨再生用メンブレンで、再生されなければならない歯槽骨の最終形状に合うように、歯槽骨方向に三次元の立体的な曲面形状にプレフォーミングされている。
【発明の効果】
【００４８】
本発明による歯槽骨再生用メンブレンは、骨再生誘導が必要な場合、施術環境に三次元的にカスタマイズされて前もって成形された歯槽骨再生用メンブレンを提案することにより、施術者は、容易に迅速に便利に施術することにより、臨床的にも成功率を高めることができ、患者は、施術時間の短縮により、浮腫を減らすことができるだけではなく、施術に係わる時間的負担を低減させることができ、施術者、患者いずれにも満足感を与えることができる。
【００４９】
特に、既存の製品に比べ、多様な形態の骨欠損形状に対応することができるようにカスタマイズされ、三次元成形された歯槽骨再生用メンブレンを提案することにより、トリミングやベンディングなど追加作業を最小化し、ベンディングによる局所的な突出現象を最小化し、露出による歯槽骨再生術の失敗を防止し、全体的な施術完成度を高めることができる。
【図面の簡単な説明】
【００５０】
【図１】本発明の一実施形態による歯槽骨再生用メンブレンの二次元平面図である。
【図２】図１の三次元フォーミングされた様子を示す図面である。
【図３】図１の三次元フォーミングされた様子を示す図面である。
【図４】図２及び図３の歯槽骨再生用メンブレンが施術されている様子を示す図面である。
【図５】本発明の他の実施形態による歯槽骨再生用メンブレンの二次元平面図である。
【図６】本発明の他の実施形態による歯槽骨再生用メンブレンの二次元平面図である。
【図７】本発明の他の実施形態による歯槽骨再生用メンブレンの二次元平面図である。
【図８】本発明の他の実施形態による歯槽骨再生用メンブレンの二次元平面図である。
【図９】本発明の他の実施形態による歯槽骨再生用メンブレンの二次元平面図である。
【図１０】本発明の他の実施形態による歯槽骨再生用メンブレンの二次元平面図である。
【図１１】本発明の他の実施形態による歯槽骨再生用メンブレンの二次元平面図である。
【図１２】本発明の他の実施形態による歯槽骨再生用メンブレンの二次元平面図である。
【図１３】本発明の他の実施形態による歯槽骨再生用メンブレンの二次元平面図である。
【図１４】本発明の他の実施形態による歯槽骨再生用メンブレンの二次元平面図である。
【図１５】本発明の他の実施形態による歯槽骨再生用メンブレンの二次元平面図である。
【発明を実施するための形態】
【００５１】
以下、本発明の一実施形態による歯槽骨再生用メンブレンについて、添付された図面を参照しながら詳細に説明する。
【００５２】
本発明の一実施形態による歯槽骨再生用メンブレン１００は、歯槽骨欠損部位の開口壁を覆い包み、歯槽骨欠損部で、歯槽骨再生を誘導するためのものである。かような歯槽骨再生用メンブレン１００の二次元平面図は、図１に図示されている通りであり、その形状は、骨欠損形態を前もって分類し、それに合うようにトリミングされている様子を図示している。かような前もってトリミングされている二次元形態の骨再生用メンブレンを、所定のベンディング器具によって、三次元的にベンディングした様子は、図２及び図３に図示された通りである。
【００５３】
このように、本実施形態による歯槽骨再生用メンブレン１００は、施術直前に施術者が患者の形状に合うように、即座にトリミング及びベンディングを行うのではなく、前もって三次元的に所定のベンディング器を利用して、トリミング及びベンディングを行って製作されるものであり、再生されなければならない歯槽骨の形状に合うように、歯槽骨側に、立体的な曲面形状にプレフォーミングされていることを特徴とする。
【００５４】
かような歯槽骨再生用メンブレン１００は、本体部及び突出部を含む。このとき、前記本体部は、歯槽骨欠損部位を覆い包むことができるものであり、結合部１２０及び側面曲折部１５０を含む。前記突出部は、前記本体部から延長されて突出されるが、内部に窪んだ凹型溝が形成されるものであり、結合側面部１３０、結合上側部１４０、側面カバー部１６０及び下端曲折部１７０を含む。このとき、突出部の最大突出高さをｈ１とし、前記凹型溝の最大深さをｈ２とするとき、前記最大突出高さｈ１は、前記最大深さｈ２より大きく、前記突出部を前記本体部に対してベンディングする過程で、突出部の一部分が他の部分に比べて突出して浮き上がる現象を防止することができる。
【００５５】
前記結合部１２０は、歯槽骨８１内に挿入されるインプラント用挿入物８０が貫通する中央ホール１２１が形成されるものであり、前記インプラント用挿入物８０に締結される。かような結合部１２０は、骨欠損部位として、移植材８２が積層されている部位の上側を覆うものであり、ほぼ偏平な形態によってなる。前記中央ホール１２１は、前記結合部１２０の中央部位に形成されるが、前記中央ホール１２１の周辺には、前記中央ホール１２１を中心にし、放射状に分布されている多数の第４孔１２２が形成されている。かような第４孔１２２は、中央ホール１２１よりは小サイズを有する。前記第４孔１２２は、骨欠損部位を充填する移植材８２と、周辺骨組織の血液との生理反応が活性化され、移植材８２が、周辺骨組織と、堅固であって安定して骨融合が行われるようにするものであり、その大きさも、骨融合に適した大きさを有することが望ましい。
【００５６】
前記結合側面部１３０は、前記結合部１２０から曲折され、歯槽骨の側面を覆い包むことができるものであり、前記結合部１２０の側面エッジから突出する。かような結合側面部１３０は、移植材８２を覆い包むように内側に曲折されている。前記結合側面部１３０は、前記結合部１２０の側面エッジのうち一部から突設されており、それによって、ベンディングが容易にもなる。具体的には、前記結合側面部１３０は、歯槽骨８１の上部内側（ｍｅｄｉａｌ）または外側（ｄｉｓｔａｌ）を覆うように設けられるものであり、前記結合側面部１３０は、隣接した歯に向かう方向に延設される。
【００５７】
前記側面結合部１２０には、多数の第５孔１３１が形成されている。かような第５孔１３１は、円形または非定形の円形の形状を有する。また、必要によっては、第４孔１２２より小径を有する。それによって、狭い空間で、さらに多くの孔を形成させる。このように、多くの孔が形成されることにより、全体的な柔軟性が増大し、ベンディングが容易にもなるという長所がある。
【００５８】
前記結合上側部１４０は、前記結合部１２０の上端には配置されるものであり、移植材８２を覆い包むように、内側に曲折されている。かような結合上側部１４０は、２個が設けられ、結合部１２０の中央に形成された凹型溝１４３を基準にして、対称的に配置されている。このとき、凹型溝１４３は、結合上側部の上面から内部に窪んだ形状を有しており、かような凹型溝１４３は、前記結合上側部１４０の突出方向とは反対方向に窪んでいる。すなわち、図１に図示されているように、結合上側部１４０は、前記結合部１２０から上側に向かって突出しており、前記凹型溝１４３は、結合上側部１４０の上面から下側に向かって窪んでいる。このとき、突出部である前記結合上側部１４０の最大突出高さをｈ１とし、前記凹型溝１４３の最大深さをｈ２とするとき、前記最大突出高さｈ１は、前記最大深さｈ２より大きい。一方、前記突出部である結合上側部１４０には、互いに離隔された１対のベンディング・ラインが形成されている。このとき、ベンディング・ラインのうちいずれか１本ｌ３は、本体部である結合部１２０と、突出部である結合上側部１４０との境界上に形成されており、ベンディング・ラインのうち他の１本ｌ４は、前記凹型溝の端部を通過するように形成されている。
【００５９】
このとき、いずれか１本のベンディング・ラインｌ３は、前記結合部１２０と、前記結合上側部１４０とが出合う１対の第３ベンディング地点ｃ３を連結することができ、他のベンディング・ラインｌ４は、前記第３ベンディング地点ｃ３から上側に離隔されて配置され、凹型溝の端部ｃ４を通過することができる。このとき、前記他の１本のベンディング・ラインｌ４は、いずれか１本のベンディング・ラインｌ３から上側に一直線に離隔されている。
【００６０】
かような結合上側部１４０は、全ての結合上側部１４０を共に含んでいる第１上側部１４１と、前記第１上側部１４１から個別的に突出する第２上側部１４２と、からなるが、前記第２上側部１４２の間には、前記凹型溝１４３が形成されている。かような構成によれば、突出部である結合上側部１４０が、本体部である結合部１２０に対してベンディングされる過程で、前記第１上側部１４１の下端である第３ベンディング・ラインｌ３を中心にして、一次的にベンディングされ、第２上側部１４２の下端である第４ベンディング・ラインｌ４を中心にして、二次的にベンディングされている。このとき、一次的ベンディングと二次的ベンディングは、別個になされるが、それに限定されるものではなく、同時に自然に生じてもよい。このように、二次的にベンディングがなされることにより、全体的なベンディング曲線が緩慢になり、ベンディング開始部位から局所的に起こる現象が防止されている。また、どの１つのベンディングのみがなされる場合にも、全体的な緩慢な曲線状をなすことができ、いずれか１つの部分が、他の部分に比べて突出して浮き上がる形状が防止されている。
【００６１】
一方、前記結合上側部１４０には、多数の第６孔１４４が形成されており、かような第６孔１４４を介して血液が疏通することにより、骨融合が促進される。
【００６２】
前記側面曲折部１５０は、前記結合部１２０から下方に曲折されて曲がり、歯槽骨の側面を覆い包むことができる。かような側面曲折部１５０は、ベンディング後に、全体的に緩慢な曲面形状をなしている。かような側面曲折部１５０には、所定サイズを有する多数の第１孔１５３が形成されている。前記第１孔１５３は、前述のように、血液が疏通することができる通路として使用される。
【００６３】
かような側面曲折部１５０は、前記結合部１２０から遠くなる方向に曲折されている第１曲折部１５１と、前記結合部１２０に近付く方向に曲折される第２曲折部１５２と、からなる。このとき、第１曲折部１５１には、０．９〜２．０ｍｍの直径を有する第１孔１５３が形成されており、第２曲折部には、第１曲折部より小径の第１孔１５３が形成されている。このとき、第１曲折部１５１の最下端の第１孔１５３は、「Ｃ」字形の凹状ラインｌｒに沿って整列されている。このように凹型の「Ｃ」字形に第１孔１５３が整列される理由は、凹状ラインによって、ベンディング・ラインが自然に形成されることにより、ベンディング時に、一部区間で、局所的な突出を発生させないようにするためである。また、前記第２曲折部１５２の孔の大きさが小さな理由は、ベンディング過程で、柔軟性を極大化し、曲率半径が大きい場合にも、柔軟にベンディングされて曲がるようにするためである。
【００６４】
前記側面カバー部１６０は、内部に移植材８２が設けられており、前記側面曲折部１５０の側面エッジから突設されるが、移植材８２に向かって曲折されて曲がり、多数の第２孔１６１が形成されている。かような側面カバー部１６０は、骨欠損部位の口腔（ｂｕｃｃａｌ）側を覆い包むものであり、ベンディング後、上端から下端に行くほど、側面曲折部１５０からの距離が徐々に増大していて、中間以後からは、距離が一定に維持される形状を有する。かような側面カバー部１６０は、側面曲折部１５０の側面全体にわたって単一形態に形成されており、骨融合後、骨欠損部位からはずす場合、容易にはずれるように形成される。かような側面カバー部１６０には、多数の第２孔１６１が形成されているが、かような第２孔１６１の直径は、第１孔１５３の直径より小さいことが望ましい。具体的には、前記第１孔の直径は、０．９〜２．０ｍｍであり、前記第２孔の直径は、０．１〜０．５ｍｍでもある。このとき、第２孔１６１は、第１孔１５３より詰まって配置されており、同一面積対比で、多数の孔を側面カバー部１６０に形成させる。また、第２孔１６１は、第１孔１５３より詰まって配置されており、同一面積対比にして、多数の孔が側面カバー部１６０に形成されているようにする。すなわち、側面カバー部１６０の単位面積当たり、第２孔１６１の総面積（孔総面積）は、側面曲折部１５０の第１孔１５３の単位面積当たり総面積（孔総面積）より大きいことが望ましい。
【００６５】
このように、第２孔１６１が小サイズに詰まって配置されていることによって、全体的な側面カバー部１６０の柔軟性が増大され、歯槽骨の再生が完了した後、メンブレンを歯槽骨８１からはずす過程で、周辺に損傷を加えることなしに、メンブレンが容易にはずれる。また、側面カバー部１６０が柔軟であることにより、ベンディングが容易になる。
前記下端曲折部１７０は、前記側面曲折部１５０の下端から下側に突設される。前記下端曲折部１７０には、多数の第３孔１７３が形成されている。このとき、前記第３孔１７３の直径は、第１孔１５３より小さくもある。具体的には、前記第１孔の直径は、０．９〜２．０ｍｍであり、前記第３孔の直径は、０．６〜０．８ｍｍでもある。それによって、十分な柔軟性を確保し、追って骨融合後に、歯槽骨８１から容易にはずれるようにする。
【００６６】
前記下端曲折部１７０には、内側に窪んでいる凹型溝１７４が形成されており、突出部である前記下端曲折部１７０の最大突出高さをｈ１とし、前記凹型溝１７４の最大深さをｈ２とするとき、前記最大突出高さｈ１は、前記最大深さｈ２より大きい。一方、前記突出部である下端曲折部１７０には、互いに離隔された１対のベンディング・ラインが形成されている。このとき、ベンディング・ラインのうちいずれか１本ｌ１は、本体部である側面曲折部１５０と、突出部である下端曲折部１７０との境界上に形成されており、ベンディング・ラインのうち他の１本ｌ２は、前記凹型溝１７４の端部を通過するように形成されている。
【００６７】
このとき、いずれか１本のベンディング・ラインｌ１は、前記側面曲折部１５０と、前記下端曲折部１７０とが出合う１対の第１ベンディング地点ｃ１を連結することができ、他のベンディング・ラインｌ２は、前記第１ベンディング地点ｃ１から上側に離隔されて配置され、凹型溝の端部ｃ４を通過することができる。このとき、前記他の１本のベンディング・ラインｌ２は、いずれか１本のベンディング・ラインｌ１から下側に一直線に離隔されている。ただし、それに限定されるのではなく、平行ではないように離隔されて配置されもする。
【００６８】
このとき、下端曲折部１７０は、第１下端曲折部１７１及び第２下端曲折部１７２からなり、前記第１下端曲折部１７１は、下端曲折部１７０の両脇を含むように構成され、第２下端曲折部１７２は、前記第１下端曲折部１７１から突出し、個別的にベンディングされているように構成される。このように、互いに離隔されたベンディング・ラインが設けられることによって、ベンディング・ラインが全体的に緩慢になり、局所的な突出現象が防止されている。すなわち、単一のベンディング・ラインが生じることになれば、急激な角度で曲がり、ベンディング・ラインを中心にして、周辺に浮き上がる現象が過度に生じるが、本実施形態のように、２本またはそれ以上のベンディング・ラインが生成されれば、多少緩慢な角度で曲がり、局所的な応力集中が生じる心配がなく、それによって、一部区間で急激に浮き上がる現象が除去されている。
【００６９】
一方、歯槽骨再生用メンブレン１００の表面に、多様な色を実現するようにｔｉｎコーティング層が形成されたり、表面が陽極酸化処理されたり、あるいは表面が熱処理されている。このとき、陽極酸化処理される場合には、加えられる電圧によって、多様な表面色を実現することが可能である。また、熱処理される場合には、熱処理温度によって、金色ないしその他多様な色の実現が可能である。かようなコーティング層が形成されたり、陽極酸化処理ないし熱処理される場合には、多様な色を有したメンブレンを実現することができ、全体的に審美感が向上するという長所がある。また、図２及び図３に図示されているように、再生されなければならない歯槽骨の最終形状に合うように、歯槽骨方向に三次元の立体的な曲面形状にプレフォーミングされている。
【００７０】
かような本発明の一実施形態による歯槽骨再生用メンブレンは、次のような作用効果を有する。
まず、歯槽骨再生用メンブレン１００を付着させる前に、インプラント用挿入物８０を歯槽骨８１内に挿入し、骨欠損部位に移植材８２を充填する。その後、インプラント用挿入物８０に対して、前もって三次元形状にフォーミングされて形成された歯槽骨再生用メンブレン１００を、前記インプラント用挿入物８０に結合する。具体的には、結合部１２０の中央ホール１２１に、前記インプラント用挿入物８０をはめ込んで結合させる。このように、歯槽骨再生用メンブレン１００が固定結合された後、歯齦を覆って所定時間が経過した後、歯槽骨再生用メンブレン１００の内部で、移植材８２が骨融合されて歯槽骨が再生された後には、前記歯槽骨再生用メンブレン１００を、前記骨欠損部位から除去する。
【００７１】
かような本発明の歯槽骨再生用メンブレン１００は、下端曲折部１７０に、互いに離隔された１対のベンディング・ラインｌ１，ｌ２が形成されていることによって、全体的にベンディング・ラインが緩慢になって浮き上がる現象が防止されている。例えば、図２及び図３に図示されているように、下端曲折部１７０で浮き上がる現象を防止することができ、再生誘導期間において、移植材８２に完全に歯槽骨再生用メンブレン１００を密着させ、安定したガイドの役割遂行を可能なこととすることにより、歯齦外にメンブレン１００が露出する危険性も極小化することができる。
【００７２】
また、部分別孔の大きさを異ならせることにより、多く曲げなければならない部分では、柔軟性を高め、ベンディング容易性を極大化することができるようにした。それにより、施術現場で、局所的なベンディングが必要な場合にも、現場作業性が高くなるようにした。
【００７３】
また、側面カバー部１６０が、柔軟性が高くなるように構成されることによって、ベンディングの容易性以外に、追って移植材から除去するときにも容易にする。
【００７４】
また、歯槽骨再生用メンブレンが、メンブレンの製作過程で、所定のベンディング器を利用して再生されなければならない歯槽骨の最終形状に合うように、歯槽骨方向に、三次元の立体的な曲面形状にプレフォーミングされていることによって、施術空間で即座にメンブレンをフォーミングする場合より、浮き上がり現象を確実に防止することができる。
【００７５】
かような本発明の一実施形態による歯槽骨再生用メンブレンは、次のように変形されもする。
【００７６】
まず、図５に図示されているように、歯槽骨再生用メンブレン２００には、結合上側部２４０及び下端曲折部２７０に、別途の凹型溝が形成されなくともよい。
【００７７】
その他の主な構成については、図１ないし図４に開示された歯槽骨再生用メンブレン１００と類似した構成を有する。
【００７８】
また、図６に図示されているように、第２曲折部３５２及び下端曲折部３７０に、別途の孔が形成されなくともよい。このように、第２曲折部３５２及び下端曲折部３７０に別途の孔が形成されていないことによって、歯槽骨再生用メンブレン３００を除去するときに便利であるという長所がある。例えば、第２曲折部３５２及び下端曲折部３７０に別途の孔が形成されなければ、血液の通過するところがなくなり、それによって、第２曲折部３５２及び下端曲折部３７０に、血液の疎通による連結組織が設けられなくなり、それは、追って歯槽骨再生用メンブレン３００を移植材から除去するときに便利になる。
【００７９】
また、図７に図示されているように、歯槽骨再生用メンブレン４００には、第２曲折部４５２及び下端曲折部４７０に、別途の孔が形成されなくともよい。全体的には、図５に開示された歯槽骨再生用メンブレン２００と類似しているが、第２曲折部４５２及び下端曲折部４７０に、別途の孔が形成されていないことによって、歯槽骨再生用メンブレン４００を除去するときに便利であるという長所がある。
【００８０】
また、図８に図示されているように、別途の結合上側部が設けられないことも可能である。すなわち、図１ないし図４に開示された歯槽骨再生用メンブレン１００と異なり、別途の結合上側部１４０が設けられていない図８の歯槽骨再生用メンブレン５００は、舌がある方への欠損がなく、唇側及び周辺歯の方に欠損部位が設けられる場合に採用される。
また、図９に図示されているように、第２曲折部６５２及び下端曲折部６７０に、別途の孔が形成されなくともよい。全体的には、図８に開示された歯槽骨再生用メンブレン５００と類似しているが、第２曲折部６５２及び下端曲折部６７０に、別途の孔が形成されていないことによって、歯槽骨再生用メンブレン６００を除去するときに有利であるという長所がある。
【００８１】
また、図１０に図示されているように、別途の結合上側部が設けられないことも可能である。全体的には、図５に開示された歯槽骨再生用メンブレン２００と類似しているが、結合上側部２４０が設けられていない歯槽骨再生用メンブレン７００は、舌がある方での欠損がなく、唇側及び周辺歯の方に欠損部位が設けられる場合に採用される。
【００８２】
また、図１１に図示されているように、第２曲折部８５２及び下端曲折部８７０に別途の孔が形成されなくともよい。全体的には、図１０に図示された歯槽骨再生用メンブレン７００と類似しているが、第２曲折部８５２及び下端曲折部８７０に、別途の孔が形成されていない場合には、連結組織が該当部位に形成されず、歯槽骨再生用メンブレン８００を除去するときに有利であるという長所がある。
【００８３】
また、図１２に図示されているように、図１の歯槽骨再生用メンブレンで、結合側面部１３０及び結合上側部１４０が除去された形態で構成されることも可能である。このように、結合側面部及び結合上側部が設けられていない歯槽骨再生用メンブレン９００は、舌がある方及び周辺歯の方に欠損部位が設けられず、唇方面だけに欠損部位が形成される場合に採用可能である。
【００８４】
また、図１３に図示されているように、第２曲折部１０５２及び下端曲折部１１７０に、別途の孔が形成されなくともよい。このように、孔が特定部位に形成されていない歯槽骨再生用メンブレン１０００は、別途の連結組織が該当部位に形成されず、歯槽骨再生用メンブレン１０００を除去するときに有利であるという長所がある。
【００８５】
また、図１４に図示されているように、下端曲折部１１７０が単一の形態で構成されることも可能である。全体的には、図１３の歯槽骨再生用メンブレン１０００と類似しているが、下端曲折部１１７０が単一の形態で構成されれば、カバーすることができる面積が増大するという長所がある。
【００８６】
また、図１５に図示されているように、第２曲折部１２５２及び下端曲折部１２７０に、別途の孔が形成されなくともよい。全体的には、図１４に図示された歯槽骨再生用メンブレン１１１０と類似しているが、このように、第２曲折部１２５２及び下端曲折部１２７０に別途の孔が形成されていない場合には、別途の連結組織が該当部位に形成されず、歯槽骨再生用メンブレン１２１０を除去するときに有利であるという長所がある。
【００８７】
本発明は、以上に限定されるものではなく、本発明の特許請求の範囲によって、合理的に解釈される範囲であるならば、特許請求の範囲が拡大解釈できる。
【図１】
0005782189.tif 000002
【図２】
0005782189.tif 000003
【図３】
0005782189.tif 000004
【図４】
0005782189.tif 000005
【図５】
0005782189.tif 000006
【図６】
0005782189.tif 000007
【図７】
0005782189.tif 000008
【図８】
0005782189.tif 000009
【図９】
0005782189.tif 000010
【図１０】
0005782189.tif 000011
【図１１】
0005782189.tif 000012
【図１２】
0005782189.tif 000013
【図１３】
0005782189.tif 000014
【図１４】
0005782189.tif 000015
【図１５】
0005782189.tif 000016